(57)【要約】  処理対象の映像データのジャンル情報を取得する取得部と、ジャンル情報毎に映像データ内の一部の位置を示す抽出情報を関連付けて記憶する記憶部と、取得されたジャンル情報に対応する抽出情報に基づいて、処理対象の映像データからサムネイルデータに用いる位置を特定する作成部と、を備える。
2011161820.tif 000002
【特許請求の範囲】
【請求項１】
処理対象の映像データのジャンル情報を取得する取得部と、
ジャンル情報毎に、映像データ内の一部の位置を示す抽出情報を関連付けて記憶する記憶部と、
前記取得されたジャンル情報に対応する前記記憶部に記憶された抽出情報に基づいて、前記処理対象の映像データからサムネイルデータに用いる位置を特定する作成部と、
を備える映像処理装置。
【請求項２】
前記処理対象の映像データを解析して区間分割を行う解析部をさらに備え、
前記抽出情報は、映像データの区間内の位置を示し、
前記作成部は、
解析された映像データにおける、前記抽出情報が示す前記区間内の位置に基づいてサムネイルデータを作成する請求項１記載の映像処理装置。
【請求項３】
前記記憶部は、
前記ジャンル情報毎に映像データのコンテンツの構成をさらに記憶し、
前記解析部は、
前記取得されたジャンル情報に対応するコンテンツの構成に基づいて前記映像データの解析を行う請求項２記載の映像処理装置。
【請求項４】
前記抽出情報は、前記ジャンル情報毎に映像データにおける複数の位置を示し、
前記作成部は、
前記処理対象の映像データから前記抽出情報が示す複数の位置に基づいて複数のサムネイル候補を作成し、
前記作成された複数のサムネイル候補から１つを選択する選択部をさらに備える請求項１乃至３いずれか一項に記載の映像処理装置。
【請求項５】
前記記憶部は、１つの前記ジャンル情報に対し、複数の前記抽出情報を記憶し、
複数の前記抽出情報のうち、１つを設定する設定部をさらに備え、
前記作成部は、
前記設定された抽出情報に基づいて、前記処理対象の映像データからサムネイルデータを作成する請求項１乃至３いずれか一項に記載の映像処理装置。
【請求項６】
記憶部を備える映像処理装置における映像処理方法であって、
処理対象の映像データのジャンル情報を取得し、
映像データのジャンル情報に関連付けて前記記憶部に記憶されている映像データ内の一部の位置を示す抽出情報の中から、前記取得されたジャンル情報に対応する抽出情報に基づいて、前記処理対象の映像データからサムネイルデータに用いる位置を特定する映像処理方法。
【請求項７】
記憶部を備える映像処理装置に、
処理対象の映像データのジャンル情報を取得する工程と、
映像データのジャンル情報に関連付けて前記記憶部に記憶されている映像データ内の一部の位置を示す抽出情報の中から、前記取得されたジャンル情報に対応する抽出情報に基づいて、前記処理対象の映像データからサムネイルデータに用いる位置を特定する工程とを実行させるための映像処理プログラム。
【発明の詳細な説明】
【技術分野】
【０００１】
本発明は、映像データを処理する映像処理装置、映像処理方法及び映像処理プログラムに関する。
【背景技術】
【０００２】
従来、記録再生装置は、録画番組のサムネイルデータとして、録画データの冒頭部分を取得・表示したりするのが一般的であった。そのため、録画開始の冒頭にＣＭなどがあり、ユーザが録画したい本編とは関係ない映像が放送されると、本編とは関係ないシーンが、サムネイルデータとして表示されることになっていた。よって、ユーザにとって適切なサムネイルデータを抽出するために、様々なサムネイルデータの抽出方法が提案されている。【０００３】
例えば、番組タイトル情報に含まれる文字列を含むフレーム映像情報を、タイトル画像としてサムネイル表示する技術がある。【０００４】
また、コンテンツデータをＣＭ検出部に供給し、複数の信号区間に識別した後、先頭から第２番目の信号区間又は特定特徴を含まない信号区間を本編区間とし、本編区間からサムネイルデータを作成する技術がある。
【先行技術文献】
【特許文献】
【０００５】
【特許文献１】特開２００６−１４０６０３号公報
【特許文献２】特開２００４−１４７２０４号公報
【発明の開示】
【発明が解決しようとする課題】
【０００６】
前述した従来技術では、サムネイルデータを抽出する際、映像データのコンテンツの構成については考慮されていない。ここで、番組の種別（ジャンル）によって、映像データのコンテンツの構成はある程度決まっていると言える。例えば、映像データのジャンルが「音楽」である場合、ＣＭ、トーク、ＣＭ、楽曲、ＣＭ、楽曲等の順序で映像データは構成されるのが一般的である。他にも、映像データのジャンルが「アニメ・ドラマ」である場合、ＣＭ、主題歌、本編（前偏）、ＣＭ、本編（後編）等の順序で映像データは構成されるのが一般的である。映像データのジャンルが異なれば、ユーザにとって適切なサムネイルデータのシーンも変わると言える。【０００７】
そこで、開示の装置は、上記問題に鑑みてなされたものであり、映像データのジャンルに応じて、適切なサムネイルデータを作成することができる映像処理装置を提供することを目的とする。
【課題を解決するための手段】
【０００８】
開示の映像処理装置は、処理対象の映像データのジャンル情報を取得する取得部と、ジャンル情報毎に映像データ内の一部の位置を示す抽出情報を関連付けて記憶する記憶部と、前記取得されたジャンル情報に対応する抽出情報に基づいて、前記処理対象の映像データからサムネイルデータに用いる位置を特定する作成部と、を備える。【０００９】
また、開示の映像処理方法は、記憶部を備える映像処理装置におけるサムネイル作成方法であって、処理対象の映像データのジャンル情報を取得し、映像データのジャンル情報に関連付けて前記記憶部に記憶されている映像データ内の一部の位置を示す抽出情報の中から、前記取得されたジャンル情報に対応する抽出情報に基づいて、前記処理対象の映像データからサムネイルデータに用いる位置を特定する。
【発明の効果】
【００１０】
開示の映像処理装置によれば、映像データのジャンルに応じて、適切なサムネイルデータを作成することができる。
【図面の簡単な説明】
【００１１】
【図１】実施例における映像処理装置のハードウェアの一例を示すブロック図である。
【図２】実施例１における映像処理装置の機能の一例を示すブロック図である。
【図３】映像情報の一例を示す図である。
【図４】映像データの一般的なコンテンツの構成情報の一例を示す図である。
【図５】抽出情報の一例を示す図である。
【図６】映像データ解析部の機能の一例を示すブロック図である。
【図７】サムネイルデータとして抽出されたシーンの例を示す図である。
【図８】記憶部に記憶される映像データの解析結果情報の一例を示す図である。
【図９】テレビ録画番組一覧を表示した画面の一例を示す図である。
【図１０】映像データ解析部による解析処理の一例を示すフローチャートである。
【図１１】サムネイルデータの作成処理の一例を示すフローチャートである。
【図１２】サムネイルデータの抽出処理の一例を示すフローチャートである。
【図１３】実施例２における映像処理装置の機能の一例を示すブロック図である。
【図１４】実施例２における抽出情報の一例を示す図である。
【図１５】サムネイル候補の例を示す図である。
【図１６】映像解析結果とサムネイル候補の一例を示す図である。
【図１７】サムネイル候補の選択画面の一例を示す図である。
【図１８】実施例２における映像解析処理及びサムネイル候補抽出処理の一例を示すフローチャートである。
【図１９】実施例３における映像処理装置の機能の一例を示すブロック図である。
【図２０】サムネイル選択画面の一例を示す図である。
【図２１】実施例３により抽出されたサムネイルデータの一例を示す図である。
【図２２】実施例３におけるサムネイル選択処理の一例を示すフローチャートである。
【図２３】実施例３におけるサムネイル抽出処理の一例を示すフローチャートである。
【図２４】ＥＰＧのデータ構造の一例を示す図である。
【符号の説明】
【００１２】
１０１  アンテナ
１０３  通信部
１０５  演算部
１０７  主記憶部
１０９  補助記憶部
１１１  表示制御部
１１３  ネットワークＩ／Ｆ部
１１５  操作入力部
２０１  データ取得部
２０２  番組情報取得部
２０３  デコード部
２０５、１３０７  データ記録部
２０７、１３０１、１９０１  記憶部
２０９  映像データ解析部
２１１  抽出情報取得部
２１３、１３０３、１９０３  作成部
２１５、１３０８、１９０７  表示制御部
２１７、１３０９、１９０９  操作入力部
６０１  映像信号処理部
６０３  音声信号処理部
６０５  区間制御部
１３０５  選択部
１９０５  設定部
【発明を実施するための形態】
【００１３】
以下、図面に基づいて実施例について説明する。実施例では、映像処理装置として、テレビチューナ付きの記録再生装置を例にして説明するが、これに限らず、映像データを記録して処理する記録装置でもよい。また、映像処理装置は、映像データを取得して処理する構成を備える情報処理装置、受信した映像データを記録する構成を備えるテレビジョンなどの受信機などでもよい。
【００１４】
［実施例１］
＜ハードウェア＞
図１は、実施例における映像処理装置１００のハードウェアの一例を示すブロック図である。映像処理装置１００は、通信部１０３、演算部１０５、主記憶部１０７、補助記憶部１０９、表示制御部１１１、ネットワークＩ／Ｆ（I／F：Interface）１１３、操作入力部１１５を含む。これら各構成は、バスを介して相互にデータ送受信可能に接続されている。
【００１５】
通信部１０３は、アンテナ１０１が受信した映像データを取得する。通信部１０３は、取得した映像データを演算部１０５に出力する。なお、映像データは、音声信号と映像信号とを含む。この通信部１０３は、チューナを含んでもよい。また、通信部１０３は、アンテナ１０１ではなく、ケーブルテレビ網に接続されてもよい。
【００１６】
演算部１０５は、コンピュータの中で、各装置の制御やデータの演算、加工を行うＣＰＵ（Central Processing Unit）などである。また、演算部１０５は、主記憶部１０７に記憶されたプログラムを実行する演算装置であり、入力装置や記憶装置からデータを受け取り、演算、加工した上で、出力装置や記憶装置に出力する。
【００１７】
主記憶部１０７は、ＲＡＭ（Random Access Memory）などであり、演算部１０５が実行する基本ソフトウェアであるＯＳやアプリケーションソフトウェアなどのプログラムやデータを記憶又は一時保存する記憶装置である。
【００１８】
また、主記憶部１０７は、映像データをデコードするデコードプログラムを保持し、演算部１０５がこのデコードプログラムを実行して映像データをデコードする。なお、映像データのデコードについては、ハードウェアとしてのデコード装置を備え、このデコード装置に処理させてもよい。主記憶部１０７は、映像処理装置１００で処理をする際に使用されるワークメモリとしても機能する。
【００１９】
補助記憶部１０９は、ＨＤＤ（Hard Disk Drive）などであり、映像データなどに関連するデータを記憶する記憶装置である。補助記憶部１０９は、前述のデコードプログラムや後述する映像データの処理のためのプログラムを記憶する。これらのプログラムは、補助記憶部１０９から主記憶部１０７にロードされて演算部１０５により実行される。
【００２０】
表示制御部１１１は、映像データや選択画面データなどを表示装置１１７に出力する処理を制御する。表示装置１１７は、例えばＣＲＴ（Cathode Ray Tube）やＬＣＤ（Liquid Crystal Display）等であり、表示制御部１１１から入力される表示データに応じた表示が行われる。図１に示す例では、表示装置１１７は、映像処理装置の外部にあるが、映像処理装置がテレビの受信機や情報処理装置などの場合には映像処理装置内部に含まれてもよい。
【００２１】
ネットワークI／F１１３は、有線及び／又は無線回線などのデータ伝送路により構築されたＬＡＮ（Local Area Network）、ＷＡＮ（Wide Area Network）などのネットワークを介して接続された通信機能を有する機器と映像処理装置１００とのインタフェースである。
【００２２】
＜機能＞
図２は、実施例１における映像処理装置１００の機能の一例を示すブロック図である。図２に示すように、映像処理装置１００は、データ取得部２０１、番組情報取得部２０２、デコード部２０３、データ記録部２０５、記憶部２０７、映像データ解析部２０９、抽出情報取得部２１１、作成部２１３、表示制御部２１５、操作入力部２１７を含む。
【００２３】
なお、番組情報取得部２０２は、例えばネットワークＩ／Ｆ１１３、演算部１０５などにより実現されうる。デコード部２０３、データ記録部２０５、映像データ解析部２０９、抽出情報取得部２１１、作成部２１３及び表示制御部２１５は、例えば演算部１０５、主記憶部１０７などにより実現されうる。記憶部２０７は、例えば主記憶部１０７、補助記憶部１０９などにより実現されうる。操作入力部２１７は、例えば操作入力部１１５により実現されうる。データ取得部２０１は、放送電波から映像データを取得する場合は、例えば通信部１０３により実現され、インターネットから映像データを取得する場合は、ネットワークＩ／Ｆ１１３により実現されうる。
【００２４】
データ取得部２０１は、例えば、アンテナ１０１が受信した映像データを取得する。また、データ取得部２０１は、記録媒体に記憶された映像データを読み出して取得してもよい。
【００２５】
番組情報取得部２０２は、データ取得部２０１が取得した映像データに対応する番組情報をインターネットや放送電波などから取得する。番組情報は、例えば電子番組表（ＥＰＧ: Electronic Program Guide）などから取得可能である。番組情報取得部２０２は、取得した番組情報を、この番組情報に対応する映像データに関連付けて記憶部２０７に記録する。番組情報は、番組タイトルや番組詳細情報、ジャンル情報などを含む。ジャンル情報が映像データのヘッダなどに含まれる場合、番組情報取得部２０２は、必ずしも番組情報を取得する必要はない。
【００２６】
デコード部２０３は、データ取得部２０１により取得された映像データを取得し、MPEG２やH.264などの動画圧縮の標準化技術に従って映像データをデコードする。デコード部２０３は、映像データが録画される場合、デコードした映像データをデータ記録部２０５に出力する。デコード部２０３は、デコードした映像データがリアルタイムで表示される場合は、デコードした映像データを表示制御部２１５に出力する。
【００２７】
データ記録部２０５は、デコード部２０３から取得した映像データを記憶部２０７に記録する。データ記録部２０５は、作成部２１３からサムネイルデータを取得した場合は、このサムネイルデータに対応する映像データに関連付けてサムネイルデータを記憶部２０７に記録する。
【００２８】
記憶部２０７は、映像データに関する映像情報を記憶する。映像情報は、映像データの識別情報、映像データのタイトル、放送時間、ジャンル、映像データの詳細を含む。
【００２９】
図３は、映像情報の一例を示す図である。図３に示す例では、映像情報は、映像データを録画した順に保持されるとする。例えば、図３に示す例では、「タロエモン」、「ミュージック駅」、「サッカー「日本ｖｓ韓国」」の順に録画されている。
【００３０】
図３に示す映像情報は、番組情報取得部２０２が取得した番組情報に含まれる情報が保持される。例えば、タイトル、放送時間、ジャンル、詳細などの情報が映像情報に含まれる。なお、映像情報は、少なくともジャンル情報を含む。ジャンル情報は、映像データの種別を示す。図３に示す例では、「タロエモン」のジャンル情報は「アニメ」であり、「ミュージック駅」のジャンル情報は「音楽」であり、「サッカー「日本ｖｓ韓国」」のジャンル情報は「スポーツ」である。
【００３１】
図２に戻り、記憶部２０７は、映像データのジャンル毎に、映像データのサムネイルデータを抽出するための抽出情報を記憶する。例えば、抽出情報は、映像データ内の一部の位置を示す。抽出情報は、映像データの一般的なコンテンツの構成を考慮する。
【００３２】
図４は、映像データの一般的なコンテンツの構成情報の一例を示す図である。図４に示す例では、ジャンルが「アニメ」と「ドラマ」（以下、アニメ・ドラマともいう）、「音楽」、「スポーツ」の一般的なコンテンツの構成を示す。
【００３３】
図４に示す構成情報４０１は、アニメ・ドラマの一般的な構成を示す。例えば「アニメ・ドラマ」の番組では、一般的に、CM、オープニングの楽曲、ＣＭ、本編・前半、CM、本編・後半、CM、エンディングの楽曲、CMという構成になっている。
【００３４】
図４に示す構成情報４１１は、音楽番組の一般的な構成を示す。例えば「音楽」番組では、CM、開始（オープニングトーク）、CM、楽曲（１曲目）、トーク、楽曲（２曲目）、CM・・・などという構成になっている。
【００３５】
図４に示す構成情報４２１は、スポーツ番組の一般的な構成を示す。例えば「スポーツ」番組では、CM、本編（試合前の解説）、CM、本編、CM・・・などという構成になっている。
【００３６】
このように、映像データのジャンルによって、コンテンツの構成が異なるといえる。同じジャンル内の映像データにおいて、異なる構成があるとしても、類似している場合が多いため、１つのジャンルに対し１つのコンテンツ構成を規定するとよい。なお、１つのジャンルに対して、細かくジャンル分けし、複数のコンテンツ構成を規定しておいてもよい。例えば「スポーツ」は、「野球」、「サッカー」などに細分化してもよく、それぞれに対応するコンテンツ構成を規定してもよい。
【００３７】
図５は、抽出情報の一例を示す図である。図５に示す抽出情報は、ジャンル毎に、映像データのどの位置をサムネイルデータとして抽出するかを示す。図５に示す例では、例えば、ジャンルが「アニメ・ドラマ」の映像データは、「１回目のCM後の楽曲区間の冒頭」をサムネイルデータとして抽出されることを示す。例えばジャンルが「音楽」の映像データは、「１回目の楽曲区間の冒頭」をサムネイルデータとして抽出されることを示す。例えばジャンルが「スポーツ」の映像データは、「２回目の本編区間の冒頭」をサムネイルデータとして抽出されることを示す。
【００３８】
例えばジャンルが「その他」の映像データは、「１回目の本編区間の冒頭」をサムネイルデータとして抽出されることを示す。「その他」のジャンルについて、抽出情報に含まれる「その他」以外のジャンルに該当しない映像データは、「その他」として扱われる。これにより、抽出情報は、ジャンル毎の映像データのコンテンツ構成を考慮していると言える。なお、抽出情報は、図５に示す以外にも、映像データにおいて開始から所定時間経過後を抽出するなどと時間を用いて規定してもよい。
【００３９】
図２に戻り、映像データ解析部２０９は、記憶部２０７に記憶されている映像データを取得し、映像データの解析を行う。映像データの解析は、CM区間を検出したり、楽曲区間を検出したりして、映像データを所定の区間に分割する。映像データの解析の詳細は以下説明する。
【００４０】
図６は、映像データ解析部２０９の機能の一例を示すブロック図である。図６に示すように、映像データ解析部２０９は、映像信号処理部６０１、音声信号処理部６０３、区間制御部６０５を含む。図６に示す例では、映像信号と音声信号とが分離された状態で、映像データ解析部２０９に入力される例を示すが、映像データ解析部２０９が、入力される映像データから映像信号と音声信号とを分離する構成を有してもよい。
【００４１】
映像信号処理部６０１は、記憶部２０７から映像信号を取得し、シーンチェンジを検出する。映像信号処理部６０１は、例えば、時間軸で連続する画像間の画素の差分値が所定値より大きいシーンを検出する。
【００４２】
他にも、映像信号処理部６０１は、動きベクトルを用いて動きベクトルが大きいブロックを多数含むシーンを検出したりしてもよい。また、特開２０００−３２４４９９号公報には、入力画像信号のフレーム間の第１の画像相関値を求める第１の画像相関演算部１と、第１の画像相関値についてのフレーム間の第２の画像相関値を求める第２の画像相関演算部２と、第２の画像相関値と第１の閾値とを比較してシーンチェンジ検出することが開示されている。つまり、映像信号処理部６０１は、映像信号を用いて、上述した既知の手法によりシーンチェンジを検出すればよい。映像信号処理部６０１は、検出したシーンチェンジの時間情報（例えば、開始から何秒後かを示す情報）を区間制御部６０５に出力する。
【００４３】
音声信号処理部６０３は、記憶部２０７から音声信号を取得し、音声信号に基づいてシーンチェンジを検出する。例えば、音声信号処理部６０３は、一定区間の音声信号の最小レベルを背景音声レベルとし、その背景音声レベルの変化が大きい時点をシーンチェンジとする。
【００４４】
また、音声信号処理部６０３は、無音区間を検出し、この無音区間をシーンチェンジとして検出してもよい。また、特開２００３−２９７７２号公報には、入力音響信号をスペクトル分解して各スペクトル信号のスペクトル振幅を抽出し、平滑化したスペクトル信号に基づいて、スペクトルエネルギーで正規化したスペクトル変化量を求め、シーンチェンジを検出することが開示されている。上述した通り、音声信号処理部６０３は、既知の手法を用いてシーンチェンジを検出し、検出した時点を区間制御部６０５に出力する。
【００４５】
また、音声信号処理部６０３は、音声信号から無音区間と有音区間を抽出し、さらに有音区間が音声区間か音楽区間かを判定する。音楽区間を判定する技術は、例えば、特開平１０−２４７０９３号公報に開示されている。この文献（特開平１０−２４７０９３号公報）によると、音声信号処理部６０３は、無音か有音かの判定について、各フレームのエネルギEiから単位時間当たりの平均エネルギAEを算出し、平均エネルギが第１閾値（α１）より大きければ有音区間と判定する。
【００４６】
【数１】
2011161820.tif 000003
【００４７】
【数２】
2011161820.tif 000004
ＡＥ＞α１      …（３）
音声信号処理部６０３は、算出したエネルギ単位時間当たりのエネルギ変化率CEを算出する。エネルギ変化率CEは、MPEG符号化データのサブバンドデータから求めた隣り合うフレームの２つのエネルギの比の単位時間における総和である。音声信号処理部６０３は、エネルギ変化率CEが第２閾値（α２）より大きければ音声区間であると判定する。
ＣＥ＞α２      …（４）
これは、音声の場合、単語や音節ごとに音声の時間波形が変化し、無音区間が多く含まれるため、エネルギ変化率CEは音楽区間に比べて大きくなるからである。
【００４８】
音声信号処理部６０３は、有音区間に対して音楽区間であるかの判定について、平均バンドエネルギＢｍｉを算出し、平均バンドエネルギＢｍｉが第３閾値（α３）より小さければ音楽区間と判定する。
【００４９】
【数３】
2011161820.tif 000005
Ｂｍｉ＜α３      …（６）
音声信号処理部６０３は、検出した音楽区間を区間制御部６０５に出力する。
【００５０】
区間制御部６０５は、映像信号処理部６０１及び音声信号処理部６０３によりほぼ同時にシーンチェンジが検出された時点を記憶する。区間制御部６０５は、記憶された最新の時点と、既に記憶されている直前の時点との間隔が、所定時間Tであるかを判定する。所定時間Tは、例えば、CMの時間として用いられる１５、３０、又は６０秒等である。
【００５１】
区間制御部６０５は、今回記憶する最新の時点と、前回記憶した直前の時点の間隔が所定時間Tであれば、前回記憶した直前の時点をCMの開始時点であると判定する。区間制御部６０５は、前述したCM区間の検出以外にも既知の手法を用いてCM区間を検出してもよい。
【００５２】
区間制御部６０５は、CM区間以外の区間に対し、音声信号処理部６０３から取得した音楽区間を楽曲区間とし、有音区間のうち、CM区間、楽曲区間以外の区間を本編区間とする。なお、映像データ解析部２０９による区間検出は上述した方法以外にもその他の既知の手法を用いて行ってもよい。
【００５３】
また、映像データ解析部２０９は、図４に示すようなコンテンツ構成が記憶部２０７に記憶されている場合、記憶されているコンテンツ構成に基づいて、区間の内容を決定してもよい。
【００５４】
映像データ解析部２０９は、映像データのシーンチェンジを順に検出して、検出したシーンチェンジ間の区間の内容を順に決定していく。例えば、映像データ解析部２０９は、映像データのジャンルが「アニメ・ドラマ」である場合、最初のシーンチェンジ間の区間を、図４の構成情報４０１に基づいて「CM」とする。映像データ解析部２０９は、次のシーンチェンジ間の区間を、構成情報４０１に基づいて「楽曲」とする。この処理を繰り返して、映像データ解析部２０９は、区間の内容を順に決定していく。この処理によると、映像データ解析部２０９は、区間を検出するだけでよく、区間の内容を解析する必要がない。よって、映像解析による処理負荷を軽減させることができる。
【００５５】
図２に戻り、抽出情報取得部２１１は、映像データ解析部２０９で解析した映像データのジャンルに対応する抽出情報を、記憶部２０７から取得する。抽出情報取得部２１１は、取得した抽出情報を作成部２１３に出力する。
【００５６】
作成部２１３は、抽出情報取得部２１１から取得した抽出情報に基づいて、解析された映像データから映像データの一部を抽出し、抽出した映像データの一部に基づきサムネイルデータを作成する。例えば、抽出情報が、「１回目の楽曲区間の冒頭」を示す場合、解析された映像データのうち、１回目の楽曲区間の冒頭を抽出し、サムネイルデータを作成する。作成部２１３は、作成したサムネイルデータをデータ記録部２０５に出力する。なお、抽出情報が、映像データの開始から何秒後かを示す時間情報であれば、作成部２１３は、解析される前の映像データから映像データの一部を作成してもよい。これにより、映像解析をしなくてもよいので処理負荷を軽減させることができる。
【００５７】
なお、作成部２１３は、抽出した映像データの一部を加工してサムネイルデータを作成してもよい。例えば、作成部２１３は、抽出した映像データの一部にタイトルなどの文字データを付加したり、拡大又は縮小したりしてサムネイルデータを作成してもよい。
【００５８】
本実施例では、サムネイルデータは、映像データの一部自体を示す。また、サムネイルデータは、映像データの一部や映像データの一部の開始時間、又は開始時間及び終了時間などを含めた管理情報であってもよい。
【００５９】
図７は、サムネイルデータとして抽出されたシーンの例を示す図である。図７に示す例では、作成部２１３は、図５に示す抽出情報に基づいて、サムネイルデータを抽出する。
【００６０】
図７に示す解析された映像データ（以下、解析映像データともいう）７０１は、ジャンルが「アニメ・ドラマ」の映像データである。作成部２１３は、映像データ解析部２０９から解析映像データ７０１を取得する。作成部２１３は、ジャンルが「アニメ・ドラマ」の抽出情報により示される「１回目のCM後の楽曲区間の冒頭」を、取得した解析映像データ７０１からサムネイルデータとして抽出する。マーク７０３は、「アニメ・ドラマ」の映像データに対し、サムネイルデータに適しているとして抽出された映像データの一部を示す。
【００６１】
図７に示す解析映像データ７１１は、ジャンルが「音楽」の映像データである。作成部２１３は、映像データ解析部２０９から解析映像データ７１１を取得する。作成部２１３は、ジャンルが「音楽」の抽出情報により示される「１回目の楽曲区間の冒頭」を、取得した解析映像データ７１１からサムネイルデータとして抽出する。マーク７１３は、「音楽」の映像データに対し、サムネイルデータに適しているとして抽出された映像データの一部を示す。
【００６２】
図７に示す解析映像データ７２１は、ジャンルが「スポーツ」の映像データである。作成部２１３は、映像データ解析部２０９から解析映像データ７２１を取得する。作成部２１３は、ジャンルが「スポーツ」の抽出情報により示される「２回目の本編区間の冒頭」を、取得した解析映像データ７２１からサムネイルデータとして抽出する。マーク７２３は、「スポーツ」の映像データに対し、サムネイルデータに適しているとして抽出された映像データの一部を示す。
【００６３】
図２に戻り、データ記録部２０５は、作成部２１３から取得したサムネイルデータを、抽出元の映像データに関連付けて記録する。なお、データ記録部２０５は、作成部２１３から取得したサムネイルデータを抽出元の解析映像データに関連付けて記録してもよい。
【００６４】
図８は、記憶部２０７に記憶される映像データの解析結果情報の一例を示す図である。図８に示す解析結果情報は、映像データのＩＤ、タイトル、ジャンル、映像解析結果と時間情報とを関連付けて保持する。
【００６５】
例えば、図８に示すＩＤ「１」の映像データは、タイトルが「タロエモン」であり、ジャンルは「アニメ」であり、映像解析結果は、図７に示す解析映像データ７０１であるとする。図８に示す時間情報は、開始時間を０：００とした場合の例とする。「サムネイルデータ」は、１回目のＣＭ後の楽曲区間の冒頭であるため、例えば、開始から４５秒後のシーンとする。
【００６６】
例えば、図８に示すＩＤ「２」の映像データは、タイトルが「ミュージック駅」であり、ジャンルは「音楽」であり、映像解析結果は、図７に示す解析映像データ７１１であるとする。「サムネイルデータ」は、１回目の楽曲区間の冒頭であるため、例えば、開始から３分４５秒後のシーンとする。
【００６７】
例えば、図８に示すＩＤ「３」の映像データは、タイトルが「サッカー「日本ｖｓ韓国」」であり、ジャンルは「スポーツ」であり、映像解析結果は、図７に示す解析映像データ７２１であるとする。「サムネイルデータ」は、２回目の本編区間の冒頭であるため、例えば、開始から１３分後のシーンとする。
【００６８】
図２に戻り、表示制御部２１５は、操作入力部２１７からサムネイルの表示要求を受けた場合、記憶部２０７からサムネイルデータと映像情報に含まれる情報とを取得し、表示装置１１７に表示する。操作入力部２１７は、例えば装置本体の機能ボタンなどであり、表示制御部２１５に対して表示要求の信号を出す。
【００６９】
図９は、テレビ録画番組一覧を表示した画面の一例を示す図である。図９では、映像データとしてテレビ番組を録画した場合を示す。図９に示すテレビ番組一覧では、テレビ番組の項番（例えばID）、サムネイルデータ、番組名、日時、録画時間などが表示される。
【００７０】
表示制御部２１５は、図８に示す情報からサムネイルデータや番組タイトルなどを取得し、表示装置１１７に表示画面データを送信する。例えば、表示制御部２１５は、番組名「タロエモン」のサムネイルデータとして、開始から４５秒後の楽曲区間の冒頭の１シーンを取得し、縮小画像にして表示装置１１７に表示されるようにする。表示制御部２１５は、サムネイルデータが既に縮小画像の場合には、加工せずに表示装置１１７に表示されるよう制御してもよい。アニメにおいては、楽曲区間の冒頭には番組名が含まれている場合がほとんどであり、本編のシーンよりは、楽曲区間の冒頭がサムネイルデータとして適しているといえる。
【００７１】
図９に示す領域９０１に含まれる画像データは、各番組のサムネイルデータである。各サムネイルデータは、表示制御部２１５が、記憶部２０７に保存されているサムネイルデータを取得することで、表示装置１１７に表示可能になる。
【００７２】
＜動作＞
次に、実施例１における映像処理装置の動作について説明する。図１０は、映像データ解析部２０９による解析処理の一例を示すフローチャートである。図１０に示すステップＳ１０１で、映像データ解析部２０９は、記憶部２０７から映像データを取得する。
【００７３】
ステップＳ１０３で、映像データ解析部２０９は、記憶部２０７から取得した映像データの解析を行う。解析処理は、映像データを区間ごとに分け、例えば上述した区間制御を行えばよい。
【００７４】
ステップＳ１０５で、映像データ解析部２０９は、解析して検出した区間がＣＭ区間であるか判定する。ステップＳ１０５の判定結果がＹＥＳであれば（ＣＭ区間である）ステップＳ１０７に進み、判定結果がＮＯであれば（ＣＭ区間ではない）ステップＳ１０９に進む。
【００７５】
ステップＳ１０７で、映像データ解析部２０９は、検出した区間をＣＭ区間として記憶部２０７に記録する。
【００７６】
ステップＳ１０９で、映像データ解析部２０９は、解析して検出した区間が楽曲区間であるか判定する。ステップＳ１０９の判定結果がＹＥＳ（楽曲区間である）であればステップＳ１１１に進み、判定結果がＮＯ（楽曲区間ではない）であればステップＳ１１３に進む。
【００７７】
ステップＳ１１１で、映像データ解析部２０９は、検出した区間を楽曲区間として記憶部２０７に記録する。
【００７８】
ステップＳ１１３で、映像データ解析部２０９は、解析して検出した区間が本編区間であるか判定する。本編区間とは、例えば、音声区間である。ステップＳ１１３の判定結果がＹＥＳ（本編区間である）であればステップＳ１１５に進み、判定結果がＮＯ（本編区間ではない）であればステップＳ１１７に進む。
【００７９】
ステップＳ１１５で、映像データ解析部２０９は、検出した区間を本編区間として記憶部２０７に記録する。
【００８０】
ステップＳ１１７で、映像データ解析部２０９は、解析された区間を、例えば「その他」として記憶部２０７に記憶する。
【００８１】
ステップＳ１１９で、映像データ解析部２０９は、録画番組が終了したか否かを判定する。ステップＳ１１９の判定結果がＹＥＳ（映像データ終わり）であれば解析処理を終了し、判定結果がＮＯ（映像データ未終了）であれば次の区間を解析するためステップＳ１０３に戻る。録画番組の終了は、データの終わりを示す情報を取得するか、映像データ自体がなくなるかを判定することで可能である。
【００８２】
ステップＳ１０５及びＳ１０７、ステップＳ１０９及びＳ１１１、ステップＳ１１３及びＳ１１５はいずれも順序は問わない、又はこれらの判定は一度に判定されてもよい。
【００８３】
これにより、映像データ解析部２０９は、記憶部２０７に記憶されている映像データを解析し、解析映像データを記憶部２０７に記録したり、作成部２１３に出力したりすることができる。
【００８４】
図１１は、サムネイルデータの作成処理の一例を示すフローチャートである。図１１に示すステップＳ２０１で、作成部２１３は、映像データ解析部２０９から解析映像データを取得する。
【００８５】
ステップＳ２０３で、抽出情報取得部２１１は、抽出情報を記憶部２０７から取得する。抽出情報取得部２１１は、取得した抽出情報を作成部２１３に出力する。
【００８６】
ステップＳ２０５で、作成部２１３は、解析映像データのジャンルに対応する抽出情報に基づき、映像データの一部を抽出し、サムネイルデータを作成する。映像データのジャンルに対応する抽出情報は、抽出情報取得部２１１が、解析映像データのジャンルに対応する抽出情報のみを作成部２１３に出力するようにしてもよい。このとき、抽出情報取得部２１１は、映像データ解析部２０９から、解析している映像データのジャンルを取得する。サムネイルデータの抽出処理は図１２を用いて後述する。
【００８７】
なお、作成部２１３は、映像データ解析部２０９から直接解析映像データを取得してもよいし、記憶部２０７に記憶されている解析映像データを取得するようにしてもよい。
【００８８】
ステップＳ２０７で、作成部２１３は、作成されたサムネイルデータを記憶部２０７に記録するようデータ記録部２０５に指示する。データ記録部２０５は、作成部２１３から指示を受けると、記録指示されたサムネイルデータの情報を、解析映像データに関連付けて記憶部２０７に記録する。
【００８９】
作成部２１３は、サムネイルデータの情報を記憶部２０７に直接記録するようにしてもよい。サムネイルデータの情報とは、サムネイルデータの開始時間や、映像データの時間軸上でのサムネイルデータの位置、抽出された映像データの一部である画像や動画などである。図８に示す例では、サムネイルデータの情報は、サムネイルデータの開始時間である。
【００９０】
次に、サムネイルデータの抽出処理について説明する。図１２は、サムネイルデータの抽出処理の一例を示すフローチャートである。図１２に示すステップＳ３０１で、作成部２１３は、解析映像データのジャンルは「アニメ・ドラマ」であるかを判定する。ステップＳ３０１の判定結果がＹＥＳ（アニメ・ドラマである）であればステップＳ３０３に進み、判定結果がＮＯ（アニメ・ドラマではない）であればステップＳ３０５に進む。
【００９１】
ステップＳ３０３で、作成部２１３は、アニメ・ドラマの抽出情報（図５参照）に基づいて、解析映像データから1回目のＣＭ後の楽曲区間の楽曲シーンを抽出する。
【００９２】
ステップＳ３０５で、作成部２１３は、解析映像データのジャンルは「音楽」であるかを判定する。ステップＳ３０５の判定結果がＹＥＳ（音楽番組である）であればステップＳ３０７に進み、判定結果がＮＯ（音楽番組ではない）であればステップＳ３０９に進む。
【００９３】
ステップＳ３０７で、作成部２１３は、音楽の抽出情報（図５参照）に基づいて、解析映像データから1回目の楽曲区間の楽曲シーンを抽出する。
【００９４】
ステップＳ３０９で、作成部２１３は、解析映像データのジャンルは「スポーツ」であるかを判定する。ステップＳ３０９の判定結果がＹＥＳ（スポーツ番組である）であればステップＳ３１１に進み、判定結果がＮＯ（スポーツ番組ではない）であればステップＳ３１３に進む。
【００９５】
ステップＳ３１１で、作成部２１３は、スポーツの抽出情報（図５参照）に基づいて、解析映像データから２回目の本編区間のシーンを抽出する。
【００９６】
ステップＳ３１３で、作成部２１３は、その他の抽出情報（図５参照）に基づいて、解析映像データから１回目の本編区間のシーンを抽出する。
【００９７】
ステップＳ３０１及びＳ３０３、ステップＳ３０５及びＳ３０７、ステップＳ３０９及びＳ３１１はいずれも順序は問わず、又はこれらの処理は一度に処理されてもよい。
【００９８】
なお、前述した処理では、映像解析とサムネイルデータ作成とを独立して行ったが、実施例１では、映像解析を行いながら、サムネイルデータを作成してもよい。作成部２１３により抽出情報に示される映像データの一部が抽出できた場合に、映像データ解析部２０９による映像解析を終了するようにすればよい。
【００９９】
これにより、作成部２１３は、サムネイルデータの抽出を行う映像データのジャンルに基づいて、サムネイルデータを作成する。
【０１００】
以上、実施例１によれば、映像データのコンテンツの構成を考慮することで、ユーザにとって適切なシーンをサムネイルデータとすることができる。なお、サムネイルデータは、映像データの一部であり、１シーンだけに限らず、例えば所定時間の動画などでもよい。
【０１０１】
［実施例２］
次に、実施例２における映像処理装置について説明する。実施例２では、映像データのジャンルに対応して抽出された複数の映像データの一部の中から、ユーザにサムネイルデータを選択させる。実施例２における映像処理装置のハードウェアは、図１に示すハードウェアと同様のものであればよい。
【０１０２】
＜機能＞
次に、実施例２における映像処理装置の機能について説明する。図１３は、実施例２における映像処理装置の機能の一例を示すブロック図である。図１３に示す機能において、図２に示す機能と同様の機能のものは同じ符号を付す。
【０１０３】
図１３に示す映像処理装置は、記憶部１３０１、作成部１３０３、選択部１３０５、データ記録部１３０７、表示制御部１３０８、入力操作部１３０９を含む。
【０１０４】
記憶部１３０１は、実施例２における抽出情報を記憶する。図１４は、実施例２における抽出情報の一例を示す図である。また、記憶部１３０１は、作成部１３０３により抽出された、サムネイルデータの候補を複数記憶する。
【０１０５】
作成部１３０３は、記憶部１３０１に記憶される抽出情報に基づいて、サムネイルデータの作成を行う。作成部１３０３は、解析する映像データのジャンルに対応する抽出情報により、複数のサムネイル候補を抽出する。
【０１０６】
サムネイル候補とは、抽出情報に基づいて抽出される映像データの一部である。例えば、図１４に示す抽出情報の場合、映像データのジャンルが「アニメ・ドラマ」の場合、楽曲及び本編区間の冒頭がサムネイル候補として抽出される。
【０１０７】
作成部１３０３は、抽出した複数のサムネイル候補をデータ記録部１３０７に出力する。なお、作成部１３０３は、抽出したサムネイル候補を記憶部１３０７に直接記録してもよい。なお、抽出情報は、任意のジャンル又は全てのジャンルにおいて、楽曲及び本編区間の冒頭、中間、又は終わりなどを設定されていてもよい。
【０１０８】
図１５は、サムネイル候補の例を示す図である。図１５に示す例は、図１４に示す抽出情報に基づいてサムネイル抽出した場合の例である。ジャンルが「アニメ・ドラマ」の解析映像データ１５０１は、楽曲及び本編区間の冒頭がサムネイル候補となる。マーク１５０３は、サムネイル候補を示す。サムネイル候補は複数存在してもよい。
【０１０９】
ジャンルが「音楽」の解析映像データ１５１１は、楽曲区間の冒頭がサムネイル候補となる。マーク１５１３は、サムネイル候補を示す。
【０１１０】
ジャンルが「スポーツ」の解析映像データ１５２１は、本編区間の冒頭がサムネイル候補となる。マーク１５２３は、サムネイル候補を示す。
【０１１１】
図１３に戻り、データ記録部１３０７は、作成部１３０３から取得した複数のサムネイル候補を、解析映像データに関連付けて記憶部１３０１に記録する。
【０１１２】
図１６は、映像解析結果とサムネイル候補の一例を示す図である。図１６に示す例では、１つの番組に、複数のサムネイル候補が存在する。例えば、アニメ「タロエモン」のサムネイル候補は、開始から４５秒後、３分１５秒後、１６分３０秒後、２２分後のシーンである。
【０１１３】
例えば、音楽番組「ミュージック駅」のサムネイル候補は、開始から１分３０秒後、３分４５秒後、・・・、４９分後のシーンである。例えば、スポーツ番組「サッカー「日本ｖｓ韓国」」のサムネイル候補は、開始から１５秒後、１２分４５秒後、・・・、１１５分後のシーンである。図１６に示す情報は、記憶部１３０１に記憶される。
【０１１４】
表示制御部１３０８は、操作入力部１３０９から所定の映像データに対するサムネイル候補の選択画面の表示要求を受けると、選択部１３０５にその旨通知する。選択部１３０５は、表示制御部１３０８から選択画面の表示要求を受けると、所定の映像データに対するサムネイル候補を記憶部１３０１から取得し、表示制御部１３０８にサムネイル候補を出力する。表示制御部１３０８は、サムネイル候補を選択するための選択画面の画面データを表示装置１１７に送信する。
【０１１５】
図１７は、サムネイル候補の選択画面の一例を示す図である。図１７に示す選択画面は、タイトルが「タロエモン」のサムネイル候補を示す。図１７に示す例は、図１６に示す「タロエモン」のサムネイル候補の選択画面である。図１７に示すように、選択画面には、サムネイル候補として開始４５秒後、３分１５秒後、１６分３０秒後、２２分後のシーンが表示されている。
【０１１６】
表示制御部１３０８は、操作入力部１３０９からサムネイルの決定要求を取得すると、その時に選択されていたサムネイル候補を選択部１３０５に出力する。選択部１３０５は、選択されたサムネイル候補を記憶部１３０１に出力する。選択されたサムネイル候補は、サムネイルデータとして解析映像データに関連付けて記憶部１３０１に記憶される。以降、サムネイル表示するときは、決定されたサムネイルデータが表示される。
【０１１７】
＜動作＞
次に、実施例２における映像処理装置の動作について説明する。図１８は、実施例２における映像解析処理及びサムネイル候補抽出処理の一例を示すフローチャートである。図１８に示す処理において、図１０に示す処理と同様の処理を行うものは同じ符号を付し、その内容の説明は省略する。図１８に示す処理は、映像解析とサムネイル候補の抽出とを一度に行う処理を示し、サムネイル候補は楽曲及び本編区間の冒頭を例にする。
【０１１８】
ステップＳ４０１で、作成部１３０３は、楽曲区間のシーン又は本編区間のシーンをサムネイル候補として取得する。ステップＳ４０３で、作成部１３０３は、取得したサムネイル候補を保持する。
【０１１９】
ステップＳ１１９で、映像データ解析部２０９による映像データの解析が終了すると、ステップＳ４０５で、作成部１３０３は、サムネイル候補をデータ記録部１３０７に出力する。データ記録部１３０７は、サムネイル候補を解析映像データに関連付けて記憶部１３０１に記憶する。
【０１２０】
なお、図１８に示す処理は、映像解析処理とサムネイル候補抽出処理とを一度に行なう例を示したが、先に映像解析を行って、後からサムネイル候補抽出処理を行うようにしてもよい。
【０１２１】
これにより、図１６に示すような情報を記憶部１３０１は記憶することができる。以上、実施例２によれば、映像データのジャンルに基づいてサムネイル候補を抽出し、抽出したサムネイル候補の中からユーザに１つ選択させることでサムネイルデータを決定することができる。
【０１２２】
なお、実施例２において、表示制御部１３０８は、複数のサムネイル候補を所定時間ずつ切り替えて表示するよう制御してもよい。この制御は、サムネイル候補から１つをユーザにより選択されずに、サムネイル表示を行う場合などに有効である。
【０１２３】
［実施例３］
次に、実施例３における映像処理装置について説明する。実施例３では、映像データのジャンル毎に、どのシーンをサムネイルデータとするかを事前に設定しておくことで、ユーザが、ジャンル毎に所望するサムネイルデータを抽出することができる。実施例３における映像処理装置のハードウェアは、図１に示すハードウェアと同様のものであればよい。
【０１２４】
＜機能＞
次に、実施例３における映像処理装置の機能について説明する。図１９は、実施例３における映像処理装置の機能の一例を示すブロック図である。図１９に示す機能において、図２に示す機能と同様の機能のものは同じ符号を付す。
【０１２５】
図１９に示す映像処理装置は、記憶部１９０１、作成部１９０３、設定部１９０５、表示制御部１９０７、入力操作部１９０９を含む。
【０１２６】
記憶部１９０１は、実施例３における抽出情報の選択肢を記憶する。抽出情報の選択肢として、例えば「映像データの最初のシーン」、「本編の最初のシーン」、「本編の中間シーン」、「本編の最後のシーン」などがある。他にも「楽曲の最初のシーン」などが考えられる。
【０１２７】
設定部１９０５は、表示制御部１９０７が表示制御する初期設定画面などからサムネイルデータ選択画面の表示が要求された場合、記憶部１９０１に記憶されている抽出情報の選択肢を取得する。設定部１９０５は、取得した抽出情報の選択肢を表示制御部１９０７に出力する。
【０１２８】
表示制御部１９０７は、設定部１９０５から取得した抽出情報の選択肢を選択可能にする画面の画面データを表示装置１１７に送信する。図２０は、サムネイル選択画面の一例を示す図である。図２０に示すように、選択画面には、サムネイルを抽出するための抽出情報の選択肢が表示される。図２０に示す例では、「録画データの最初のシーン」、「番組の本編の冒頭シーン」、「番組の本編の中間シーン」、「番組の本編の最後のシーン」が選択肢となっている。
【０１２９】
「本編の冒頭シーン」は、最初の本編の冒頭シーンを示すとする。「本編の中間シーン」は、全ての本編の中で中間のシーンを示すとする。また、「本編の最後のシーン」は、最後の本編の最後のシーンを示すとする。
【０１３０】
ユーザは、図２０に示す画面からリモコンや操作入力部１９０９（例えば、本体装置の機能ボタン）などを用いて、どのシーンにするかを選択し、決定する。表示制御部１９０７は、リモコンからの決定信号や、決定ボタンの押下などにより、選択された抽出情報を検知すると、選択された抽出情報を設定部１９０５に通知する。
【０１３１】
設定部１９０５は、通知された抽出情報を、所定の映像データのジャンルに関連付けて記憶部１９０１に記録する。上述したサムネイルの選択処理は、例えば、予め決められた順番でジャンル毎に行われる。また、全てのジャンルに対して上述した選択処理を行う必要はなく、選択処理が行われなかったジャンルには、デフォルトで所定の抽出情報を設定しておけばよい。
【０１３２】
作成部１９０３は、抽出情報取得部２１１が取得した、ユーザにより事前に選択された抽出情報を用いて、映像データから映像データの一部を抽出し、サムネイルデータを作成する。
【０１３３】
図２１は、実施例３により抽出されたサムネイルデータの一例を示す図である。図２１では、簡単のため、どのジャンルも「本編データの中間シーン」をサムネイルデータとすることが事前に選択されていたとする。
【０１３４】
図２１に示す例では、解析映像データ２１０１は、ジャンルが「アニメ・ドラマ」である。作成部１９０３は、抽出情報が示す「本編データの中間シーン」を抽出し、サムネイルデータを作成する。マーク２１０３は、サムネイルデータとするシーンを示す。なお、抽出情報が「中間シーン」の場合、作成部１９０３は、解析映像データの本編区間の時間を累計し、本編区間の中で中間となるシーンを求める必要がある。
【０１３５】
解析映像データ２１１１は、ジャンルが「音楽」である。作成部１９０３は、抽出情報が示す「本編データの中間シーン」を抽出し、サムネイルデータを作成する。マーク２１１３は、サムネイルデータとするシーンを示す。
【０１３６】
解析映像データ２１２１は、ジャンルが「スポーツ」である。作成部１９０３は、抽出情報が示す「本編データの中間シーン」を抽出し、サムネイルデータを作成する。マーク２１２３は、サムネイルデータとするシーンを示す。
【０１３７】
作成部１９０３により作成されたサムネイルデータは、データ記録部２０５により、映像データに関連付けて記憶部１９０１に記録される。
【０１３８】
＜動作＞
次に、実施例３における映像処理装置の動作について説明する。図２２は、実施例３におけるサムネイル選択処理の一例を示すフローチャートである。図２２に示すＳ５０１で、表示制御部１９０７は、サムネイル選択画面の画面データを表示装置１１７に送信し、サムネイル選択画面が表示される。
【０１３９】
ステップＳ５０３で、表示制御部１９０７は、ユーザによる決定ボタンの押下などにより、そのとき選択されていた抽出情報を特定する。表示制御部１９０７は、特定した抽出情報を設定部１９０５に通知する。
【０１４０】
ステップＳ５０５で、設定部１９０５は、通知された抽出情報を、所定の映像データのジャンルに関連付けて記憶部１９０１に記録する。
【０１４１】
これにより、ユーザは、ジャンル毎にステップＳ５０１〜Ｓ５０５を行うことで、ジャンル毎に所望する抽出情報を予め設定することができる。
【０１４２】
図２３は、実施例３におけるサムネイル抽出処理の一例を示すフローチャートである。図２３に示す処理において、図１１に示す処理と同様の処理を行うものは同じ符号を付し、その内容の説明は省略する。
【０１４３】
図２３に示すステップＳ６０１で、作成部１９０３は、抽出情報取得部２１１から取得した、ユーザにより選択された抽出情報が「番組冒頭」を示すか否かを判定する。判定結果がＹＥＳ（番組冒頭である）であればステップＳ６０３に進み、判定結果がＮＯ（番組冒頭ではない）であればステップＳ６０５に進む。
【０１４４】
ステップＳ６０３で、作成部１９０３は、番組の開始時刻のシーンを抽出し、サムネイルデータを作成する。
【０１４５】
ステップＳ６０５で、作成部１９０３は、抽出情報取得部２１１から取得した、ユーザにより選択された抽出情報が「番組の本編冒頭」を示すか否かを判定する。判定結果がＹＥＳ（番組の本編冒頭である）であればステップＳ６０７に進み、判定結果がＮＯ（番組の本編冒頭ではない）であればステップＳ６０９に進む。
【０１４６】
ステップＳ６０７で、作成部１９０３は、本編の開始時刻のシーンを抽出し、サムネイルデータを作成する。
【０１４７】
ステップＳ６０９で、作成部１９０３は、抽出情報取得部２１１から取得した、ユーザにより選択された抽出情報が「番組の本編の中間」を示すか否かを判定する。判定結果がＹＥＳ（番組の本編の中間である）であればステップＳ６１１に進み、判定結果がＮＯ（番組の本編の中間ではない）であればステップＳ６１３に進む。
【０１４８】
ステップＳ６１１で、作成部１９０３は、本編の中間の時刻のシーンを抽出し、サムネイルデータを作成する。
【０１４９】
ステップＳ６１３で、作成部１９０３は、本編の最後のシーンを抽出し、サムネイルデータを作成する。後の処理については、データ記録部２０５が、抽出されたサムネイルデータを映像データに関連付けて記憶部１９０１に記録すればよい。
【０１５０】
以上、実施例３によれば、映像データのジャンル毎に、どのシーンをサムネイルデータとするかを事前に設定しておくことで、ユーザがジャンル毎に所望するサムネイルデータを抽出することができる。
【０１５１】
次に、上述した各実施例で用いられるＥＰＧのデータ構造について説明する。図２４は、ＥＰＧのデータ構造の一例を示す図である。図２４に示すＥＰＧのデータ構造は、インターネットで取得可能なＥＰＧのデータ構造の一例を示す。
【０１５２】
図２４に示すＥＰＧは、ジャンル大分類「genre-1」２４０１、ジャンル中分類２「subgenre-1」２４０３を含む。「genre-1」２４０１は、ニュース、スポーツ、ドラマ、音楽、バラエティなどの大きな分類を示す。「subgenre-1」２４０３は、ニュースの中でも天気、政治・経済、交通など、スポーツの中でも、野球、サッカー、ゴルフなどのさらに細かい分類を示す。
【０１５３】
ジャンル大分類、ジャンル中分類の番号が何のジャンルを示すかは、ジャンル分類表によって特定される。ジャンル分類表には、ジャンル大分類の番号、ジャンル中分類の番号毎にジャンル名が対応付けられている。例えば、「genre-1」の「１」はスポーツであり、「subgenre-1」の「１」は野球を示すとする。このジャンル分類表は記憶部に記憶されている。
【０１５４】
各実施例の番組情報取得部は、図２４に示すようなＥＰＧデータを取得し、取得された映像データに関連付けて記憶部に記憶する。この場合、ジャンル情報は、「genre-1」及び「subgenre-1」とすればよい。また、抽出情報は、「genre-1」及び「subgenre-1」のジャンル情報に関連付けておけばよい。これにより、番組情報取得部により取得されるジャンル情報と抽出情報に関連付けられたジャンル情報とで、同じ種類のジャンル情報を用いることができる。
【０１５５】
なお、前述した各実施例で説明した映像データの処理は、コンピュータに実行させるためのプログラムとして実現されてもよい。このプログラムをサーバ等からインストールしてコンピュータに実行させることで、前述した映像データの処理を実現することができる。
【０１５６】
また、このプログラムを記録媒体（ＣＤ−ＲＯＭやＳＤカード等）に記録し、このプログラムが記録された記録媒体をコンピュータに読み取らせて、前述した映像データの処理を実現させることも可能である。なお、記録媒体は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。また、前述した各実施例で説明した映像データの処理は、１つ又は複数の集積回路に実装されてもよい。
【０１５７】
以上、実施例について詳述したが、特定の実施例に限定されるものではなく、特許請求の範囲に記載された範囲内において、種々の変形及び変更が可能である。
【図１】
2011161820.tif 000006
【図２】
2011161820.tif 000007
【図３】
2011161820.tif 000008
【図４】
2011161820.tif 000009
【図５】
2011161820.tif 000010
【図６】
2011161820.tif 000011
【図７】
2011161820.tif 000012
【図８】
2011161820.tif 000013
【図９】
2011161820.tif 000014
【図１０】
2011161820.tif 000015
【図１１】
2011161820.tif 000016
【図１２】
2011161820.tif 000017
【図１３】
2011161820.tif 000018
【図１４】
2011161820.tif 000019
【図１５】
2011161820.tif 000020
【図１６】
2011161820.tif 000021
【図１７】
2011161820.tif 000022
【図１８】
2011161820.tif 000023
【図１９】
2011161820.tif 000024
【図２０】
2011161820.tif 000025
【図２１】
2011161820.tif 000026
【図２２】
2011161820.tif 000027
【図２３】
2011161820.tif 000028
【図２４】
2011161820.tif 000029
【国際調査報告】
2011161820.tif 000030
2011161820.tif 000031
2011161820.tif 000032
2011161820.tif 000033